(57)【特許請求の範囲】
【請求項１】
第１の通信端末装置と第２の通信端末装置とを含むアドレス情報交換システムであって、
前記第１の通信端末装置は、
プロフィール情報を記憶するプロフィール情報記憶部と、
前記プロフィール情報が変更された場合に、変更された前記プロフィール情報を前記第２の通信端末装置へ送信する第１の送信部と、
を備え、
前記第２の通信端末装置は、
前記プロフィール情報を受信する受信部と、
受信された前記プロフィール情報に基づいて、アドレス情報記憶部に記憶されている前記第１の通信端末装置のアドレス情報を更新する更新処理部と、
前記アドレス情報が更新された旨を示す変更結果通知を前記第１の通信端末装置へ送信する第２の送信部と、
を備え、
前記第１の通信端末装置は、
前記第１の送信部による前記プロフィール情報の送信の後、前記変更結果通知の受信が無い場合に、前記プロフィール情報をテキスト形式に変換し、変換後のプロフィール情報を前記第２の通信端末装置へ送信する送信制御部を備えることを特徴とするアドレス情報交換システム。
【請求項２】
第１の通信端末装置と第２の通信端末装置とを含むアドレス情報交換方法であって、
第１の通信端末装置のプロフィール情報記憶部にプロフィール情報を記憶する処理と、
前記プロフィール情報が変更された場合に、変更された前記プロフィール情報を前記第１の通信端末装置から前記第２の通信端末装置へ送信する処理と、
前記第２の通信端末装置が前記プロフィール情報を受信する処理と、
受信された前記プロフィール情報に基づいて、前記第２の通信端末装置のアドレス情報記憶部に記憶されている前記第１の通信端末装置のアドレス情報を更新する処理と、
前記アドレス情報が更新された旨を示す変更結果通知を前記第２の通信端末装置から前記第１の通信端末装置へ送信する処理と、
前記第１の通信端末装置から前記第２の通信端末装置へ前記プロフィール情報の送信の後、前記変更結果通知の受信が無い場合に、前記プロフィール情報をテキスト形式に変換し、変換後のプロフィール情報を前記第２の通信端末装置へ送信する処理と、
を含むことを特徴とするアドレス情報交換方法。
【請求項３】
プロフィール情報を記憶するプロフィール情報記憶部と、
前記プロフィール情報が変更された場合に、変更された前記プロフィール情報を他の通信端末装置へ送信する送信部と、
前記送信部による前記プロフィール情報の送信の後、前記他の通信端末装置からアドレス情報が更新された旨を示す変更結果通知の受信が無い場合に、前記プロフィール情報をテキスト形式に変換し、変換後のプロフィール情報を前記他の通信端末装置へ送信する送信制御部と、
を備えることを特徴とする通信端末装置。
【請求項４】
プロフィール情報を記憶する処理と、
前記プロフィール情報が変更された場合に、変更された前記プロフィール情報を他の通信端末装置へ送信する処理と、
前記プロフィール情報の送信の後、前記他の通信端末装置からアドレス情報が更新された旨を示す変更結果通知の受信が無い場合に、前記プロフィール情報をテキスト形式に変換し、変換後のプロフィール情報を前記他の通信端末装置へ送信する処理と、
を含むことを特徴とするアドレス情報交換方法。
【請求項５】
コンピュータによって実行されるアドレス情報交換プログラムであって、
プロフィール情報を記憶するステップと、
前記プロフィール情報が変更された場合に、変更された前記プロフィール情報を他の通信端末装置へ送信するステップと、
前記プロフィール情報の送信の後、前記他の通信端末装置からアドレス情報が更新された旨を示す変更結果通知の受信が無い場合に、前記プロフィール情報をテキスト形式に変換し、変換後のプロフィール情報を前記他の通信端末装置へ送信するステップと、
を含むことを特徴とするアドレス情報交換プログラム。
【発明の詳細な説明】
【技術分野】
【０００１】
本発明は、通信機能を有するとともに、電話番号やメールアドレス等のアドレス情報を持つ携帯電話機等の通信端末装置のアドレス情報の変更に関し、アドレス情報の自動変更機能を備えるアドレス情報交換システム、通信端末装置、アドレス情報交換方法及びアドレス情報交換プログラムに関する。
【背景技術】
【０００２】
インターネット接続や電話接続の通信先の電話番号やメールアドレス等のアドレス情報は装置内に設定された電話帳やアドレス帳と称するデータベースに登録されて管理される。このようなアドレス情報に変更が生じた場合には、通信先に電話や通知メールによって通知され、その通知を受けた通信先がアドレス情報を更新する必要がある。
【０００３】
このようなアドレス情報の変更に関し、特許文献１では、メールアドレスの変更等の際に、メール本文を作成し、電話帳データ又は送受信メールデータの複数のアドレスに対して一括送信し、また、特許文献２では、携帯電話機の電話番号が変更されたとき、メモリにある相手先に対し、所望の設定時間に電話番号変更に係るメッセージを通知するとともに、その通知結果を表示している。
【特許文献１】特開２００３−５２０７１号公報（段落番号００１７、図１、図４等）
【特許文献２】特開２００２−２４７１８２号公報（段落番号００１７、００１８、図２等）
【発明の開示】
【発明が解決しようとする課題】
【０００４】
ところで、電話番号やメールアドレス等のアドレス情報の変更を通知することは、通知先でのアドレス情報の変更を期待するものの、アドレス情報が通知先で更新されたか否かを確認することができない。また、アドレス情報の変更に関する通知メールを受信しても、即座に対応しない場合にはその変更を忘れてしまうこともあろうし、アドレス情報の変更作業を怠る場合もあろう。アドレス情報が変更されなけば、通知メールは徒労に帰し、アドレス情報の変更がされなければ、以後の通信ができなくなるおそれもある。
【０００５】
このような課題について、特許文献１、２には開示又は示唆はなく、それを解決するための着想もない。
【０００６】
そこで、本発明の第１の目的は、アドレス情報の変更に関し、通信先に登録されているアドレス情報の変更の自動化を図ることにある。
【０００７】
また、本発明の第２の目的は、通信先のアドレス情報の変更確認の容易化を図ることにある。
【課題を解決するための手段】
【０００８】
上記目的を達成するため、本発明は、プロフィール情報が変更された場合に、通信端末装置側から変更されたプロフィール情報が送信されるのを契機に、通信先の通信端末装置で発信元の通信端末装置に関するアドレス情報を変更するとともに、その変更結果を表す応答通知を送信させることにより、プロフィール情報を変更した側の通信端末装置で通信先のアドレス情報の変更及びその変更確認ができるように構成し、アドレス情報の変更の自動化、その変更確認の自動化を実現したものである。
【０００９】
上記第１及び第２の目的を達成するため、本発明の第１の側面は、第１の通信端末装置と第２の通信端末装置とを含むアドレス情報交換システムであって、前記第１の通信端末装置は、プロフィール情報を記憶するプロフィール情報記憶部と、前記プロフィール情報が変更された場合に、変更された前記プロフィール情報を前記第２の通信端末装置へ送信する第１の送信部とを備え、前記第２の通信端末装置は、前記プロフィール情報を受信する受信部と、受信された前記プロフィール情報に基づいて、アドレス情報記憶部に記憶されている前記第１の通信端末装置のアドレス情報を更新する更新処理部と、前記アドレス情報が更新された旨を示す変更結果通知を前記第１の通信端末装置へ送信する第２の送信部とを備え、前記第１の通信端末装置は、前記第１の送信部による前記プロフィール情報の送信の後、前記変更結果通知の受信が無い場合に、前記プロフィール情報をテキスト形式に変換し、変換後のプロフィール情報を前記第２の通信端末装置へ送信する送信制御部を備える構成である。斯かる構成により、上記目的を達成することができる。
【００１０】
上記第１及び第２の目的を達成するため、本発明の第２の側面は、第１の通信端末装置と第２の通信端末装置とを含むアドレス情報交換方法であって、第１の通信端末装置のプロフィール情報記憶部にプロフィール情報を記憶する処理と、前記プロフィール情報が変更された場合に、変更された前記プロフィール情報を前記第１の通信端末装置から前記第２の通信端末装置へ送信する処理と、前記第２の通信端末装置が前記プロフィール情報を受信する処理と、受信された前記プロフィール情報に基づいて、前記第２の通信端末装置のアドレス情報記憶部に記憶されている前記第１の通信端末装置のアドレス情報を更新する処理と、前記アドレス情報が更新された旨を示す変更結果通知を前記第２の通信端末装置から前記第１の通信端末装置へ送信する処理と、前記第１の通信端末装置から前記第２の通信端末装置へ前記プロフィール情報の送信の後、前記変更結果通知の受信が無い場合に、前記プロフィール情報をテキスト形式に変換し、変換後のプロフィール情報を前記第２の通信端末装置へ送信する処理とを含む構成である。斯かる構成により、上記目的を達成することができる。
【００１１】
上記第１及び第２の目的を達成するため、本発明の第３の側面は、通信端末装置であって、プロフィール情報を記憶するプロフィール情報記憶部と、前記プロフィール情報が変更された場合に、変更された前記プロフィール情報を他の通信端末装置へ送信する送信部と、前記送信部による前記プロフィール情報の送信の後、前記他の通信端末装置からアドレス情報が更新された旨を示す変更結果通知の受信が無い場合に、前記プロフィール情報をテキスト形式に変換し、変換後のプロフィール情報を前記他の通信端末装置へ送信する送信制御部とを備える構成である。斯かる構成により、上記目的を達成することができる。
【００１２】
上記第１及び第２の目的を達成するため、本発明の第４の側面は、アドレス情報交換方法であって、プロフィール情報を記憶する処理と、前記プロフィール情報が変更された場合に、変更された前記プロフィール情報を他の通信端末装置へ送信する処理と、前記プロフィール情報の送信の後、前記他の通信端末装置からアドレス情報が更新された旨を示す変更結果通知の受信が無い場合に、前記プロフィール情報をテキスト形式に変換し、変換後のプロフィール情報を前記他の通信端末装置へ送信する処理とを含む構成である。斯かる構成により、上記目的を達成することができる。
【００１３】
上記第１及び第２の目的を達成するため、本発明の第５の側面は、コンピュータによって実行されるアドレス情報交換プログラムであって、プロフィール情報を記憶するステップと、前記プロフィール情報が変更された場合に、変更された前記プロフィール情報を他の通信端末装置へ送信するステップと、前記プロフィール情報の送信の後、前記他の通信端末装置からアドレス情報が更新された旨を示す変更結果通知の受信が無い場合に、前記プロフィール情報をテキスト形式に変換し、変換後のプロフィール情報を前記他の通信端末装置へ送信するステップとを含む構成である。斯かる構成により、上記目的を達成することができる。
【発明の効果】
【００１４】
本発明によれば、次の効果が得られる。
【００１５】
(1) プロフィール情報の変更通知を契機に、通信先にあるアドレス情報を自動的に変更できる。
【００１６】
(2) アドレス情報を変更した通信先からアドレス情報の変更結果を表す通知が送信されるので、その通知により、アドレス情報の変更の確認が容易になる。
【００１７】
(3) アドレス情報の変更連絡を容易化でき、アドレス情報変更の遺漏を防止できる。
【発明を実施するための最良の形態】
【００１８】
〔第１の実施の形態〕
【００１９】
本発明の第１の実施の形態について、図１、図２及び図３を参照して説明する。図１は、アドレス情報交換システムの一例を示す図、図２は、プロフィール情報の変更通知の処理を示す図、図３は、アドレス情報の変更結果に関する処理を示す図である。
【００２０】
このアドレス情報交換システム２は、携帯電話機等の通信端末装置に設定された電話帳等に登録されている電話番号、メールアドレス等のアドレス情報の交換を自動化したものである。
【００２１】
このアドレス情報交換システム２では、無線通信端末装置として複数の携帯電話機４、情報交換の中継装置としてのサーバ装置６が設置され、携帯電話機４は無線により基地局８１、８２・・・８ｎを介してインターネット等のネットワーク１０に接続されている。サーバ装置６は、ネットワーク１０に接続され、各携帯電話機４の電話番号やメールアドレス等のアドレス情報の交換に用いられる。
【００２２】
各携帯電話機４には、プロフィール情報１２、通信先のアドレス情報１４が登録されている。プロフィール情報１２は、自機のプロフィールに関する固有情報であって、例えば、電話番号、メールアドレス等の情報である。また、アドレス情報１４は、通信先のプロフィール情報であって、例えば、電話帳やアドレス帳等に登録されて管理されている。
【００２３】
そこで、このアドレス情報交換システム２では、図２に示すように、プロフィール情報１２が変更された第１の通信端末装置として例えば、携帯電話機４０からプロフィール情報１２に関するプロフィール変更通知１６がサーバ装置６に送信され、このプロフィール変更通知１６を受信したサーバ装置６からプロフィール変更通知２６が第２の通信端末装置として例えば、携帯電話機４１〜４ｎに同時又は時系列的に送信される。ここで、１又は２以上の第２の通信端末装置として例えば、携帯電話機４１〜４ｎは、携帯電話機４０のアドレス情報１４に登録された通信先であり、ユーザがプロフィール情報１２の通知のために選択した通信先であってもよい。携帯電話機４１〜４ｎでは、プロフィール変更通知２６を受け、携帯電話機４０に関するアドレス情報１４の修正が促される。
【００２４】
そして、図３に示すように、携帯電話機４１、４２では、プロフィール変更通知２６を受け、携帯電話機４０に関するアドレス情報１４の更新が行われ、携帯電話機４１、４２からその変更結果通知１８がサーバ装置６に送信される。サーバ装置６は、その変更結果通知１８に対応する変更結果通知２８を携帯電話機４０に送信する。この結果、携帯電話機４０では、プロフィール情報１２の変更を契機とし、自機に関する携帯電話機４１、４２側のアドレス情報１４の修正又はその可否を知ることができる。
【００２５】
ところで、アドレス情報１４の修正が行われなかった携帯電話機４ｎには、再度プロフィール変更通知１６がサーバ装置６に送信され、同様にサーバ装置６からプロフィール変更通知２６が携帯電話機４ｎに対して送信される。この変更通知１６、２６の送信は、通信先からの変更結果通知１８に基づき、サーバ装置６から変更結果通知２８が発せられるまで継続的に行われることになる。この場合、携帯電話機４０では、変更結果通知１８が送信されていない携帯電話機４ｎではアドレス情報１４が未修正であることを知ることができる。
【００２６】
なお、アドレス情報１４の修正ができない場合について、サーバ装置６でその検知や可否の判定が行われ、その通知を携帯電話機４０にサーバ装置６から送信するようにしてもよい。
【００２７】
次に、携帯電話機について、図４及び図５を参照して説明する。図４は、携帯電話機の構成例を示す図、図５は、携帯電話機の一例を示す図である。図４及び図５において、図１と同一部分には同一符号を付してある。
【００２８】
この携帯電話機４は、既述の携帯電話機４０、４１、４２・・・４ｎの一例であって、無線通信部３２、プロセッサ３４、操作入力部３６、表示部３８、記憶部５０、音声処理部５２等を備えている。
【００２９】
無線通信部３２は、アンテナ５３を備え、基地局８１、８２・・・８ｎと無線通信を媒介としたデータや音声の送受に用いられ、プロフィール情報１２の変更通知を送信する送信部、通信先のプロフィール情報１２の変更通知を受信する受信部、通信先のアドレス情報１４の変更に伴う結果通知を受信する受信部を構成する。データや音声の送受では、プロセッサ３４の制御により、電子メール等のパケット通信データ信号や音声信号を搬送信号に載せて基地局８１、８２・・・８ｎに送信し、又は基地局８１、８２・・・８ｎからの無線信号を受信し、この無線信号から音声信号やパケット通信データ信号を得る。
【００３０】
プロセッサ３４は、ＣＰＵ（Central Processing Unit ）等で構成され、記憶部５０に格納されているプログラムの実行により、操作入力部３６からの入力情報の受取り、無線通信部３２の送信制御又は受信制御、表示部３８の表示制御、音声処理部５２の音声の入出力等、入出力制御を行うとともに、記憶部５０に対するアドレス情報の変更等のデータの変換、データの格納、データ変更の結果を表す通知処理等のデータ交換に関する制御も行う。
【００３１】
操作入力部３６は、キーボード等を備え、電話番号入力、メール作成等の文字入力等に用いられる。そこで、操作入力部３６には、文字キー、表示部３８に表示されたダイアログ表示に対応する応答等の各種入力を行うため、カーソルキーや決定キー等が備えられている。音声処理部５２はスピーカやマイクロフォンを備えて音声の送受に用いられ、マイクロフォンは送話音声の入力、スピーカは受話音声の再生に用いられる。
【００３２】
表示部３８はＬＣＤ（Liquid Crystal Display）等で構成され、表示部３８には、待機中や通信中を表す画面、プロフィール情報１２やアドレス情報１４の修正のためのダイアログ画面等が表示される。
【００３３】
また、記憶部５０には、ＲＯＭ（Read-Only Memory）５４、ＲＡＭ（Random-Access Memory）５６、不揮発性メモリ５８が設置されている。ＲＯＭ５４には、プロフィール情報１２やアドレス情報１４の情報変更プログラム５４１、その他のプログラム５４２が格納されている。ＲＡＭ５６は、ワークエリアとして用いられる。不揮発性メモリ５８には、複数のプロフィール情報記憶領域５８１、アドレス情報記憶領域５８２、管理テーブル５８３、その他の情報記憶領域５８４が設定され、プロフィール情報記憶領域５８１には自機の電話番号やメールアドレス等のプロフィール情報１２、アドレス情報記憶領域５８２には１又は複数の通信先の電話番号やメールアドレス等のアドレス情報１４が格納されている。
【００３４】
そして、この携帯電話機４は、図５に示すように、第１及び第２の筐体部６０、６２をヒンジ部６４によって連結して開閉可能に構成され、筐体部６０には、操作入力部３６、音声処理部５２のマイクロフォン６６等が設置され、筐体部６２には、表示部３８、音声処理部５２のスピーカ６８が設置されている。操作入力部３６には、複数の記号キー７０、カーソルキー７２、決定キー７４等が備えられている。
【００３５】
次に、サーバ装置６について、図６を参照して説明する。図６は、サーバ装置６の一例を示す図である。図６において、図１と同一部分には同一符号を付してある。
【００３６】
このサーバ装置６はコンピュータで構成されてネットワーク１０に接続され、基地局８１、８２・・・８ｎを介して携帯電話機４（＝４０、４１、４２・・・４ｎ）とのデータ交換を行うための構成として、制御部７６、記憶部７８、ネットワーク部９０等を備えている。
【００３７】
制御部７６は、記憶部７８にあるプログラムの実行によりネットワーク部９０を介してネットワーク１０と接続され、携帯電話機４のアドレス情報１４の更新に関する機能に対応した情報交換を行い、具体的には、ネットワーク部９０を介して、例えば、携帯電話機４０（図２、３）より送信されたプロフィール変更通知１６を受信し、その通信先である携帯電話機４１、４２・・・４ｎにプロフィール変更通知１６に対応するプロフィール変更通知２６を送信し、アドレス情報１４の変更結果通知１８を携帯電話機４１、４２・・・から受け、その変更結果通知１８に対応する変更結果通知２８を携帯電話機４０に送信する。
【００３８】
記憶部７８には、アドレス情報１４の情報交換に関するプログラムの他、携帯電話機４のアドレス情報１４の変更機能等に関する情報が格納されている。
【００３９】
そして、ネットワーク部９０は、プロフィール変更通知１６や変更結果通知１８を受信する受信部、プロフィール変更通知２６や変更結果通知２８を送信する送信部を構成している。
【００４０】
以下、プロフィール情報１２の変更を契機とする通信先のアドレス情報１４の更新等について説明する。
【００４１】
Ａ  プロフィール情報の作成及びその変更
【００４２】
プロフィール情報の処理について、図７を参照して説明する。図７は、携帯電話機の登録データ変更の処理手順の一例を示すフローチャートである。
【００４３】
この処理では例えば、携帯電話機４０（図２、図３）の電話番号やメールアドレス等のプロフィール情報１２に変更が生じた場合にその変更通知の通信先である携帯電話機４１・・・４ｎにプロフィール変更通知１６を送信する場合の処理である。
【００４４】
そこで、電話番号やメールアドレス等に変更を生じた場合（ステップＳ１）、メニュー画面から情報変更プログラム５４１を起動させ、プロフィール情報１２の作成又は変更を行い（ステップＳ２）、管理テーブル５８３を参照し（ステップＳ３）、初回送信か否かを判定し（ステップＳ４）、初回送信である場合（ステップＳ４のＹＥＳ）にはそのまま、プロフィール変更通知１６の送信を行う（ステップＳ５）。
【００４５】
また、初回送信でない場合（ステップＳ４のＮＯ）には、プロフィール情報１２をテキストメール形式に変換し（ステップＳ６）、プロフィール変更通知１６の送信を行う（ステップＳ５）。このようなテキストメール形式への変更は、前回送信によって相手側とのデータ交換が不調に終わっていることの対応手段として実行される。
【００４６】
このプロフィール変更通知１６は、アドレス情報１４にある通信先即ち、この場合、携帯電話機４１のアドレス情報記憶領域５８２（電話帳又はアドレス帳）に登録されている通信先に向けて同報（ブロードキャスト) 送信を行う。このプロフィール変更通知１６の送信の後、管理テーブル５８３の更新を行い（ステップＳ７）、この管理テーブル５８３の更新では、管理テーブル５８３に通信先の登録を行う。
【００４７】
このプロフィール変更通知１６の送信の後、サーバ装置６から送信された変更結果通知２８を受信したか否かの判定を行い（ステップＳ８）、変更結果通知２８を受信した場合（ステップＳ８のＹＥＳ）には、管理テーブル５８３の更新として送信先の削除を行い（ステップＳ９）、この処理を終了する。
【００４８】
変更結果通知２８を受信していない場合（ステップＳ８のＮＯ）には、次回のメール送信時、そのメールにプロフィール変更通知１６を添付して送信し（ステップＳ１０）、ステップＳ３に移行し、ステップＳ３〜Ｓ９の処理を経ることにより、この処理を終了する。
【００４９】
Ｂ  プロフィール情報１２の送信設定
【００５０】
プロフィール情報１２の送信設定について、図８、図９及び図１０を参照して説明する。図８は、プロフィール情報の送信設定の処理手順の一例を示すフローチャート、図９は、メニュー設定画面を示す図、図１０は、プロフィール送信設定画面を示す図である。
【００５１】
プロフィール情報１２の送信設定では、メニュー設定画面９２（図９）を立ち上げ、このメニュー設定画面９２から「プロフィール情報送信」を選択すると、（ステップＳ１１）、プロフィール情報送信設定画面９４（図１０）に移行し、このプロフィール情報送信設定画面９４からプロフィール情報送信の有無を選択する（ステップＳ１２）。このプロフィール情報送信の有無は、プロフィール情報送信設定画面９４のダイアログボックスに対し、「有」又は「無」を選択し（ステップＳ１３）、送信有りを選択した場合（ステップＳ１３のＹＥＳ）には、リピート時間のダイアログボックスに時間を設定し（ステップＳ１４）、この時間入力の後、リピート回数を設定し（ステップＳ１５）、これらの設定を確定させた後、この処理を終了する。
【００５２】
このプロフィール情報１２の送信設定において、送信間隔としてリピート時間は、プロフィール情報１２の送信の繰り返しの時間間隔を表す時間情報であり、また、リピート回数は、プロフィール情報１２の繰り返し送信回数を表す回数情報である。
【００５３】
そして、プロフィール情報送信無しを選択した場合（ステップＳ１３のＮＯ）には、リピート時間やリピート回数の設定は回避され、この処理を終了する。
【００５４】
メニュー設定画面９２は、図９に示すように、各種のメニュー及びアイコンとともに、プロフィール情報送信を設定するためのアイコン９６及びメニュー表示９８として「プロフィール情報送信」が表示される。このアイコン９６を指定し、決定キー７４によりアイコン９６を選択すると、プロフィール情報送信設定画面９４に移行する。
【００５５】
プロフィール情報送信設定画面９４は、図１０に示すように、ダイアログメッセージ「プロフィール送信」１００及びその有無を入力するためのダイアログボックス１０２、ダイアログメッセージ「リピート時間」１０４及びその応答を入力するためのダイアログボックス１０６、ダイアログメッセージ「リピート回数」１０８及びその応答を入力するためのダイアログボックス１１０が表示されるとともに、このプロフィール情報送信設定画面９４の入力情報を確定し、登録するための登録ボタン１１２が表示されている。
【００５６】
ダイアログボックス１０２、１０６、１１０に対する情報入力の後、登録ボタン１１２に対応する決定キー７４の押下により、入力情報を確定させることができる。
【００５７】
Ｃ  プロフィール変更通知の受信によるアドレス情報の変更
【００５８】
アドレス情報の変更について、図１１及び図１２を参照して説明する。図１１は、アドレス情報の変更の処理手順の一例を示すフローチャート、図１２は、プロフィール情報の受信に伴うダイアログ画面を示す図である。
【００５９】
このアドレス情報の変更処理は、プロフィール情報１２の変更又は作成を契機とし、そのプロフィール変更通知１６とともにプロフィール情報１２を受信したことによる処理であって、かかる処理はサーバ装置６を中継して実行される。
【００６０】
例えば、携帯電話機４０（図２、図３）から送信されたプロフィール情報１２及びプロフィール変更通知１６がサーバ装置６を中継して携帯電話機４１〜４ｎに受信される（ステップＳ２１）。携帯電話機４１〜４ｎでは、受信したプロフィール情報１２を以てアドレス情報１４の変更可能な形式であるか否かの判断を行い（ステップＳ２２）、変更可能である場合（ステップＳ２２のＹＥＳ）には、アドレス情報１４の変更設定画面１１４（図１２）が立ち上り、アドレス情報１４の更新が行われる（ステップＳ２３）。
【００６１】
そして、このアドレス情報１４の変更の後、携帯電話機４１、４２では、その変更処理の後、変更結果通知１８を生成し、その変更結果通知１８をサーバ装置６に送信し（ステップＳ２４）、この処理を終了する。サーバ装置６から変更結果通知１８に対応する変更結果通知２８が携帯電話機４０に送信される。また、携帯電話機４ｎが処理可能な形式でない場合（ステップＳ２２のＮＯ）にも、この処理を終了する。
【００６２】
このような処理により、例えば、携帯電話機４１、４２では通知されたプロフィール情報１２によってアドレス情報１４の更新が行われ（図３）、その変更結果通知１８をサーバ装置６に送信し、それを受信したサーバ装置６から携帯電話機４０に変更結果通知２８が転送され、携帯電話機４１、４２でアドレス情報１４の更新が実行されたことがサーバ装置６及び携帯電話機４０で確認できる。また、携帯電話機４ｎが更新できない機種の場合には、そのアドレス情報１４の更新ができず、アドレス情報１４の変更結果通知１８が発せられないことから、サーバ装置６及び携帯電話機４０では、携帯電話機４ｎが処理不能の機種であると判断することもできる。
【００６３】
そして、アドレス情報１４の変更設定画面１１４は、図１２に示すように、ダイアログメッセージ１１６が表示され、例えば、
「プロフィール情報が添付されていますが、
電話帳の更新を行いますか？」
と表示される。また、アドレス情報１４の変更設定画面１１４には、ダイアログメッセージ１１６の応答ボタン「はい」１１８が表示され、この応答ボタン１１８を選択すれば、プロフィール情報１２が携帯電話機４１〜４ｎのアドレス情報１４に反映され、更新される。このようなアドレス情報１４の自動更新の後、携帯電話機４１〜４ｎでは、待機画面に戻る。
【００６４】
Ｄ  サーバ装置６及び携帯電話機間の処理
【００６５】
アドレス情報１４の処理について、図１３を参照して説明する。図１３は、サーバ装置６を媒介とした携帯電話機間のアドレス情報１４の変更処理のシーケンスを示す図である。
【００６６】
既述の通り、プロフィール情報１２に変更を生じた携帯電話機４０、そのプロフィール変更通知１６を受ける携帯電話機４１〜４ｎ及びサーバ装置６について、携帯電話機４０からプロフィール情報１２がサーバ装置６に送信され（ステップＳ３１）、サーバ装置６はそのプロフィール情報１２を変更依頼先である携帯電話機４１〜４ｎに送信する（ステップＳ３２）。
【００６７】
携帯電話機４１〜４ｎが変更可能な形式であるか否かを判断し（ステップＳ３３）、変更可能でない場合にはこの処理を終了し、変更可能である場合には、アドレス情報１４の変更を実行し、その結果として変更結果通知１８を送信する（ステップＳ３４）。この通知を受けたサーバ装置６は、その変更結果通知２８を携帯電話機４０に通知する（ステップＳ３５）。
【００６８】
携帯電話機４０では、変更結果通知２８を受信したか否かを監視し（ステップＳ３６）、変更結果通知２８を受信しない場合には、プロフィール情報１２を再送信することになる。変更結果通知２８を受信した場合には、管理テーブル５８３に変更通知に対応する処理が完了したことを登録し（ステップＳ３７）、この処理を終了する。
【００６９】
以上説明したように、この実施の形態によれば、登録データについて、自動更新ができない携帯電話機では、次のような処理が可能である。
【００７０】
携帯電話機に複数回のプロフィール変更通知１６を送信したがその応答がない場合には、アドレス情報１４が変更ができない携帯電話機であると判断し、メールにプロフィール情報１２を変更した旨のメッセージを添付して変更通知を行えばよいし、また、サーバ装置６で送信先の携帯電話機が自動変更可能な機種であるか否かの判別が可能であるから、サーバ装置６が変更通知メールを受信した時点で、そのプロフィール情報１２の変更を送信してよいか否かを判断し、送信先の携帯電話機の機能に対応してプロフィール情報１２の変更を知らせることが可能である。何れの場合も受信側の携帯電話機から変更結果通知を受けるまでプロフィール情報１２の送信を繰り返す。
【００７１】
〔第２の実施の形態〕
【００７２】
次に、本発明の第２の実施の形態について、図１４を参照して説明する。図１４は、第２の実施の形態に係るアドレス情報交換システムを示す図である。図１４において、図１、図２と同一又は共通部分には同一符号を付してある。
【００７３】
このアドレス情報交換システム２では、複数の通信端末装置として、携帯電話機４の他、例えば、基地局８ｎに接続された固定電話機２００であってもよく、携帯電話機４と固定電話機２００との間でプロフィール情報１２の変更に対応してアドレス情報１４を変更してもよい。プロフィール情報１２の変更は、固定電話機間で行ってもよい。また、本発明は、無線、有線の何れにも適用され、移動電話に限定されるものではない。
【００７４】
〔他の実施の形態〕
【００７５】
(1) 上記実施の形態では、通信端末装置として携帯電話機や固定電話機を例示したが、本発明は、通信機能を備えるとともに、電話番号やメールアドレス等のアドレス情報を備える各種の通信端末装置に適用でき、例えば、図１５に示すように、携帯情報端末機（ＰＤＡ：Personal Digital Assistant）４００、図１６に示すように、パーソナルコンピュータ４０２に適用してもよく、図１５及び図１６において、図２と共通する部分には同一符号を付し、その説明を省略する。
【００７６】
(2) アドレス情報が一括変換できない古い機種等の通信端末装置の機能については、送信側通信端末装置側又はサーバ装置側の何れで検知してもよい。
【００７７】
次に、以上述べた本発明の上記実施の形態から抽出される技術的思想を請求項の記載形式に準じて付記として列挙する。本発明に係る技術的思想は上位概念から下位概念まで、様々なレベルやバリエーションにより把握できるものであり、以下の付記に本発明が限定されるものではない。
【００７８】
（付記１）  プロフィール情報の変更通知を送信する第１の通信端末装置と、
前記プロフィール情報に基づき、前記第１の端末装置のアドレス情報を変更し、その変更に関する応答通知を送信する第２の通信端末装置と、
前記第１の通信端末装置の前記変更通知を前記第２の通信端末装置に送信し、前記第２の通信端末装置の前記応答通知を受信し、該応答通知を前記第１の通信端末装置に送信するサーバ装置と、
を備えることを特徴とするアドレス情報交換システム。
【００７９】
（付記２）  プロフィール情報を記憶するプロフィール情報記憶部と、
通信先に関するアドレス情報を記憶するアドレス情報記憶部と、
前記プロフィール情報を変更した場合に、前記通信先の前記アドレス情報の変更通知を送信する送信部と、
前記通信先の前記アドレス情報の変更に関する応答通知を受信するまで、前記プロフィール情報の前記変更通知を前記送信部に送信させる送信制御部と、
を備えたことを特徴とする通信端末装置。
【００８０】
（付記３）  付記２の通信端末装置において、
前記送信制御部は、前記通信先の前記アドレス情報の前記変更通知の送信間隔又は送信回数が設定され、設定された送信間隔又は送信回数により前記送信部に前記プロフィール情報の前記変更通知を送信させることを特徴とする通信端末装置。
【００８１】
（付記４）  付記２の通信端末装置において、
情報を表示する表示部を備え、前記通信先の前記アドレス情報の前記変更通知の送信間隔又は送信回数を問うダイアログ画面を前記表示部に表示させて前記送信間隔又は前記送信回数を受け付けることを特徴とする通信端末装置。
【００８２】
（付記５）  通信先に関するアドレス情報を記憶するアドレス情報記憶部と、
前記通信先のプロフィール情報の変更通知を受信する受信部と、
前記プロフィール情報の前記変更通知に基づき、前記アドレス情報記憶部の前記アドレス情報を変更するアドレス情報変更部と、
を備えることを特徴とする通信端末装置。
【００８３】
（付記６）  付記５の通信端末装置において、
情報を表示する表示部を備え、前記通信先の前記アドレス情報の変更を問うダイアログ画面を前記表示部に表示させ、前記ダイアログ画面に対する応答情報により、前記アドレス情報の変更又はその拒否が設定されることを特徴とする通信端末装置。
【００８４】
（付記７）  第１の通信端末装置からプロフィール情報の変更通知、又は前記第１の通信端末装置に対応する第２の通信端末装置からアドレス情報の変更に関する応答通知を受信する受信部と、
前記第１の通信端末装置からの前記変更通知を前記第２の通信端末装置に送信し、又は前記第２の通信端末装置からの前記応答通知を前記第１の通信端末装置に送信する送信部と、
を備えることを特徴とするサーバ装置。
【００８５】
（付記８）  付記７のサーバ装置において、
前記プロフィール情報の前記変更通知に対応し、通信先の通信端末装置が、アドレス情報の変更が可能であるか否かを表す情報を記憶する記憶部と、
前記第１の通信端末装置から前記プロフィール情報の前記変更通知を受けた場合に、前記記憶部にある情報に基づき、前記第１の通信端末装置に対し、その応答通知を前記送信部に送信させる制御部と、
を備えたことを特徴とするサーバ装置。
【００８６】
（付記９）  プロフィール情報を変更した場合に通信先のアドレス情報の変更通知を送信する処理と、
前記通信先の前記アドレス情報の変更に関する応答通知を受信するまで、前記プロフィール情報の前記変更通知を送信する処理と、
を含むことを特徴とするアドレス情報交換方法。
【００８７】
（付記１０）  付記９のアドレス情報交換方法において、
前記通信先の前記アドレス情報の前記変更通知の送信間隔又は送信回数を設定する処理と、
設定された送信間隔又は送信回数により前記プロフィール情報の前記変更通知を送信する処理と、
を含むを特徴とするアドレス情報交換方法。
【００８８】
（付記１１）  付記９のアドレス情報交換方法において、
前記通信先の前記アドレス情報の前記変更通知の送信間隔又は送信回数を問うダイアログ画面を表示させる処理と、
前記送信間隔又は前記送信回数を受け付ける処理と、
を含むことを特徴とするアドレス情報交換方法。
【００８９】
（付記１２）  通信先のプロフィール情報の変更通知を受信する処理と、
前記プロフィール情報の前記変更通知に基づき、アドレス情報記憶部にあるアドレス情報を変更する処理と、
を含むことを特徴とするアドレス情報交換方法。
【００９０】
（付記１３）  付記１２のアドレス情報交換方法において、
前記通信先の前記アドレス情報の変更を問うダイアログ画面を表示させる処理と、
前記ダイアログ画面に対する応答情報により、前記アドレス情報の変更又はその拒否を受け付ける処理と、
を含むことを特徴とするアドレス情報交換方法。
【００９１】
（付記１４）  第１の通信端末装置からプロフィール情報の変更通知、又は前記第１の通信端末装置に対応する第２の通信端末装置からアドレス情報の変更に関する応答通知を受信する処理と、
前記第１の通信端末装置からの前記変更通知を前記第２の通信端末装置に送信し、又は前記第２の通信端末装置からの前記応答通知を前記第１の通信端末装置に送信する処理と、
を含むことを特徴とするアドレス情報交換方法。
【００９２】
（付記１５）  付記１４のアドレス情報交換方法において、
前記プロフィール情報の前記変更通知に対応し、通信先の通信端末装置が、アドレス情報の変更が可能であるか否かを表す情報を記憶する処理と、
前記第１の通信端末装置から前記プロフィール情報の前記変更通知を受けた場合に、アドレス情報の変更が可能であるか否かを表す前記情報に基づき、前記第１の通信端末装置に対し、その応答通知を送信する処理と、
を備えたことを特徴とするアドレス情報交換方法。
【００９３】
（付記１６）  コンピュータによって実行されるアドレス情報交換プログラムであって、
プロフィール情報を変更した場合に通信先のアドレス情報の変更に関する通知を送信するステップと、
前記通信先の前記アドレス情報の変更に関する応答通知を受信するまで、前記プロフィール情報の前記変更通知を送信するステップと、
を含むことを特徴とするアドレス情報交換プログラム。
【００９４】
（付記１７）  付記１６のアドレス情報交換プログラムにおいて、
前記通信先のアドレス情報の変更通知の送信間隔又は送信回数を設定するステップと、
設定された送信間隔又は送信回数により前記プロフィール情報の前記変更通知を送信するステップと、
を含むを特徴とするアドレス情報交換プログラム。
【００９５】
（付記１８）  付記１６のアドレス情報交換プログラムにおいて、
前記通信先のアドレス情報の変更通知の送信間隔又は送信回数を問うダイアログ画面を表示させるステップと、
前記送信間隔又は前記送信回数を受け付けるステップと、
を含むことを特徴とするアドレス情報交換プログラム。                                  
【００９６】
（付記１９）  コンピュータによって実行されるアドレス情報交換プログラムであって、
通信先のプロフィール情報の変更通知を受信するステップと、
前記プロフィール情報の前記変更通知に基づき、アドレス情報記憶部にあるアドレス情報を変更するステップと、
を含むことを特徴とするアドレス情報交換プログラム。
【００９７】
（付記２０）  付記１９のアドレス情報交換プログラムにおいて、
前記通信先の前記アドレス情報の変更を問うダイアログ画面を表示させるステップと、
前記ダイアログ画面に対する応答情報により、前記アドレス情報の変更又はその拒否を受け付けるステップと、
を含むことを特徴とするアドレス情報交換プログラム。
【００９８】
（付記２１）  コンピュータによって実行されるアドレス情報交換プログラムであって、
第１の通信端末装置からプロフィール情報の変更通知、又は前記第１の通信端末装置に対応する第２の通信端末装置からアドレス情報の変更に関する応答通知を受信する処理と、
前記第１の通信端末装置からの前記変更通知を前記第２の通信端末装置に送信し、又は前記第２の通信端末装置からの前記応答通知を前記第１の通信端末装置に送信する処理と、
を含むことを特徴とするアドレス情報交換プログラム。
【００９９】
（付記２２）  付記２１のアドレス情報交換プログラムにおいて、
前記プロフィール情報の前記変更通知に対応し、通信先の通信端末装置が、アドレス情報の変更が可能であるか否かを表す情報を記憶するステップと、
前記第１の通信端末装置から前記プロフィール情報の前記変更通知を受けた場合に、アドレス情報の変更が可能であるか否かを表す前記情報に基づき、前記第１の通信端末装置に対し、その応答通知を送信するステップと、
を備えたことを特徴とするアドレス情報交換プログラム。
【０１００】
以上説明したように、本発明の最も好ましい実施の形態等について説明したが、本発明は、上記記載に限定されるものではなく、特許請求の範囲に記載され、又は明細書に開示された発明の要旨に基づき、当業者において様々な変形や変更が可能であることは勿論であり、斯かる変形や変更が、本発明の範囲に含まれることは言うまでもない。
【産業上の利用可能性】
【０１０１】
本発明によれば、通信機能を有するとともに、電話番号やメールアドレス等のアドレス情報を持つ携帯電話機等の通信端末装置のアドレス情報の変更に関し、プロフィール情報の変更通知を契機に通信先のアドレス情報の自動変更が可能であり、その変更結果通知を受けることにより、変更の可否を送信側で知ることができる等、有用である。
【図面の簡単な説明】
【０１０２】
【図１】第１の実施の形態に係るアドレス情報交換システムを示す図である。
【図２】アドレス情報交換システムの処理内容を示す図である。
【図３】アドレス情報交換システムの処理内容を示す図である。
【図４】携帯電話機の構成例を示す図である。
【図５】携帯電話機の一例を示す図である。
【図６】サーバ装置の構成例を示す図である。
【図７】携帯電話機の登録データ変更の処理手順の一例を示すフローチャートである。
【図８】プロフィール情報の送信設定の処理手順の一例を示すフローチャートである。
【図９】メニュー設定画面を示す図である。
【図１０】プロフィール情報送信設定画面を示す図である。
【図１１】アドレス情報の変更の処理手順の一例を示すフローチャートである。
【図１２】プロフィール情報の受信に伴うダイアログ画面を示す図である。
【図１３】サーバ装置を媒介とした携帯電話機間のアドレス情報の変更処理のシーケンスを示す図である。
【図１４】第２の実施の形態に係るアドレス情報交換システムを示す図である。
【図１５】他の実施の形態に係るＰＤＡを示す図である。
【図１６】他の実施の形態に係るパーソナルコンピュータを示す図である。
【符号の説明】
【０１０３】
２  アドレス情報交換システム
４、４０、４１、４２・・・４ｎ  携帯電話機
６  サーバ装置
８  基地局
１０  ネットワーク
１２  プロフィール情報
１４  アドレス情報
１６、２６  プロフィール変更通知
１８、２８  変更結果通知
３２  無線通信部
３４  プロセッサ
９０  ネットワーク部
５８１  プロフィール情報記憶領域
５８２  アドレス情報記憶領域
【図１】
0004603497.tif 000002
【図２】
0004603497.tif 000003
【図３】
0004603497.tif 000004
【図４】
0004603497.tif 000005
【図５】
0004603497.tif 000006
【図６】
0004603497.tif 000007
【図７】
0004603497.tif 000008
【図８】
0004603497.tif 000009
【図９】
0004603497.tif 000010
【図１０】
0004603497.tif 000011
【図１１】
0004603497.tif 000012
【図１２】
0004603497.tif 000013
【図１３】
0004603497.tif 000014
【図１４】
0004603497.tif 000015
【図１５】
0004603497.tif 000016
【図１６】
0004603497.tif 000017